(57)【要約】      （修正有）【課題】両口金型のランプを用いる照明器具において用いることができる発光ダイードランプとして、取り付ける際に発光ダイードランプの角度が自ずと定まるようにした発光ダイオードランプを提供する。【解決手段】発光ダイードランプＸは、一定間隔を持って配置される各ソケットにランプの口金３０を挟持する平行な対向する二平面が形成される両口金型ランプ用の照明器具に用いられる。発光ダイオードランプＸは、発光ダイオード１０と、側面で前記発光ダイオードを保持する棒状のＬＥＤ保持部２０と、前記ＬＥＤ保持部の両端のそれぞれに設けられる、前記照明器具のそれぞれのソケットに嵌る、前記発光ダイオードに電力を供給するための口金３０とを備える。さらに、前記各口金の根元側に設けられる前記ソケットの二平面に嵌る間隔をもって配される平行な二平面４１を有するブロック体からなる角度規定ブロック４０とを設ける。【選択図】図１
0003177602.tif 000002
【実用新案登録請求の範囲】
【請求項１】
一定間隔を持って配置される各ソケットにランプの口金を挟持する平行な対向する二平面が形成される両口金型ランプ用の照明器具に用いられる発光ダイオードランプであって、
発光ダイオードと、
側面で前記発光ダイオードを保持する棒状のＬＥＤ保持部と、
前記ＬＥＤ保持部の両端のそれぞれに設けられる、前記照明器具のそれぞれのソケットに嵌る、前記発光ダイオードに電力を供給するための口金と、
前記各口金の根元側に設けられる前記ソケットの二平面に嵌る間隔をもって配される平行な二平面を有するブロック体からなる角度規定ブロックと
を有する発光ダイオードランプ。
【考案の詳細な説明】
【技術分野】
【０００１】
本考案は、発光ダイオードランプに関し、特に、両口金型ランプを用いた照明器具に使用されるものに関する。
【背景技術】
【０００２】
両口金の照明器具は、細長い円筒状の発光管を有し、両端に口金が設けられたランプを用いるものがほとんどである。図３に、このような照明器具の一例として口金ランプを用いた照明器具の分解斜視図を示す。図３に示す照明器具Ａは両口金型のハロゲンランプＬの各口金が嵌るソケットＳを有し、ソケットＳにハロゲンランプＬの両口金を嵌めることでハロゲンランプＬに通電して発光させるものである。照明器具ＡのソケットＳは、ハロゲンランプＬの口金が挟まる対向する平行な平面Ｓ1、Ｓ2を有する。このような形状を有するソケットＳに対してハロゲンランプＬは発光管の中心軸周りに自由に回転できるが、発光管は全方位に光を発するので、ハロゲンランプＬを取り付ける際の回転角度は問題にならない。
【考案の概要】
【考案が解決しようとする課題】
【０００３】
ところで、近年、消費電力の低さと寿命の長さから多く形状の照明器具において、ランプ部分を発光ダイオードに置き換えることが広く行われている。しかし、発光ダイオードは発光する方向が定まっているので、上記のような両口金型の照明器具に発光ダイオードを用いる場合取り付け角度を定めて固定する必要がある。
本考案はこのような問題に鑑み、両口金型のランプを用いる照明器具において用いることができる発光ダイードランプとして、取り付ける際に発光ダイードランプの角度が自ずと定まるようにすることを課題とする。
【課題を解決するための手段】
【０００４】
上記課題を解決するために、本考案は次のような構成を有する。
即ち本考案は、一定間隔を持って配置される各ソケットにランプの口金を挟持する平行な対向する二平面が形成される両口金型ランプ用の照明器具に用いられる発光ダイオードランプである。そして、当該発光ダイオードランプは、発光ダイオードと、側面で前記発光ダイオードを保持する棒状のＬＥＤ保持部と、前記ＬＥＤ保持部の両端のそれぞれに設けられる、前記照明器具のそれぞれのソケットに嵌る、前記発光ダイオードに電力を供給するための口金と、前記各口金の根元側に設けられる前記ソケットの二平面に嵌る間隔をもって配される平行な二平面を有するブロック体からなる角度規定ブロックとを有するものである。
【考案の効果】
【０００５】
本考案に係る発光ダイオードランプは、口金の根元側に角度規定ブロックが設けられているために、発光ダイオードランプをソケットに嵌めるためには、角度規定ブロックの二平面がソケットの対向する二平面と互いに平行になるような位置関係にしなければならない。従って、発光ダイオードランプをソケットに嵌めると自ずと発光ダイオードランプの口金同士を結んだ回転軸回りの回転位置が定まることとなり、角度規定ブロックの取り付け方向を設計時に適宜調節することで、所望の照射方向に発光ダイオードランプを固定させるようにすることができる。
【図面の簡単な説明】
【０００６】
【図１】実施形態に係る発光ダイオードランプの斜視図である。
【図２】（ａ）は発光ダイオードランプの口金部分と照明器具のソケット部分の分離した状態を示す一部拡大斜視図であり、（ｂ）は発光ダイオードランプの口金部分と照明器具のソケット部分の結合した状態を示す一部拡大斜視図である。
【図３】従来の両口金型ハロゲンランプを用いた照明器具の分解斜視図である。
【考案を実施するための最良の形態】
【０００７】
以下、本考案の実施の形態について、図面を参照しながら説明する。
図１に実施形態に係る発光ダイオードランプＸの斜視図を示す。発光ダイオードランプＸは、図３に示す両口金型のハロゲンランプＬの代替品として用いられるものであり、図３に示すようなハロゲンランプＬ用の照明器具Ａに取り付けられるものである。発光ダイオードランプＸは、発光ダイオード１０、ＬＥＤ保持部２０、口金３０、角度規定ブロック４０を有する。
発光ダイオード１０は表面実装型の一般的な発光ダイオードである。
ＬＥＤ保持部２０は円柱を中心軸に平行な平面で切った棒状体であり、両端に鍔となる円板２２、２２が設けられている。前記発光ダイオード１０はＬＥＤ保持部２０の長方形状の平面２１部分に固定される。なお、ＬＥＤ保持部２０の内側は空洞であり、図示しない発光ダイオード１０の駆動回路が設けられている。
【０００８】
角度規定ブロック４０は略直方体状のブロック体であり、ＬＥＤ保持部２０の両端の円板２２、２２のそれぞれの外側に設けられる。なお、角度規定ブロック４０は円板２２の中心に設けられるのではなく、中心から発光ダイオード１０の照射方向と逆側にずれた位置に設けられる。また、角度規定ブロック４０の円板２２から垂直に立ちあがる一組の相対する二面４１、４１は、ＬＥＤ保持部２０の平面に略直交するような角度に設けられ、この二面４１、４１同士の間隔は、図３に示す照明器具ＡのソケットＳの対向する二面Ｓ1、Ｓ2の間隔と略一致することでソケットＳに嵌るように設定されている。なお、円板２２から垂直に立ちあがる他の組の二面の間隔はソケットＳの対向する二面Ｓ1、Ｓ2の間隔よりも大きく形成されソケットＳには入らないようになっている。そして、角度規定ブロック４０同士の間隔は、各ソケットＳに各角度規定ブロック４０が同時に嵌る程度の間隔に設定される。
口金３０は角度規定ブロック４０の前記二面の間隔と同じかやや小さい外径を有する円柱体であり、前記円板２２に平行な各角度規定ブロック４０の外側端面に一体に設けられている。口金３０の先端には電気接点が設けられおり、当該電気接点は前述した図示しない発光ダイオード１０の駆動回路に接続している。口金３０の端部同士の間隔は、前記ハロゲンランプＬの口金同士の間隔と略同じに設定される。
【０００９】
次に、以上のような構成を有する発光ダイオードランプＸの作用について説明する。使用に際しては、まず、図３に示す照明器具Ａの各ソケットＳに口金３０を嵌め入れる。この際、図２（ａ）に示すように角度規定ブロック４０のソケットＳの対向する二面Ｓ1、Ｓ2と略同じ幅を有する二面４１、４１とを互いに平行にしなければ、ソケットＳに口金３０を入れることはできない。そして、これらを互いに平行にすると図２（ｂ）に示すように角度規定ブロック４０は、ソケットＳに収めることができ、口金３０は通電可能な状態となる。ＬＥＤ保持部２０の発光ダイオード１０を取り付ける平面２１は、角度規定ブロック４０の二面４１、４１と直交するような角度であるので、発光ダイオードランプＸをソケットＳに嵌めた状態において、発光ダイオード１０が面する方向がソケットＳの対向する二面に平行な方向となるように発光ダイオードランプＸを固定することができる。
このように本実施形態に係る発光ダイオードランプＸは、指向性のある発光ダイオードを指向性のない発光管を用いるランプの代替品として使用する場合に、ソケットに一定角度でしか固定できないようにすることで、発光ダイオードの照射方向を製作者の所望の位置に設定することができる。
【００１０】
なお、上記実施形態では、発光ダイオードとして表面実装型発光ダイオードを用いているが、砲弾型の発光ダイオードを用いてもよく、発光ダイオードの数も任意に設定することができる。また、発光ダイオードランプＸに発光ダイオードを覆う透明又は半透明のカバーを設けるようにしてもよい。
【符号の説明】
【００１１】
Ｘ      発光ダイオードランプ
Ｓ      ソケット
１０    発光ダイオード
２０    ＬＥＤ保持部
３０    口金
４０    角度規定ブロック
【図１】
0003177602.tif 000003
【図２】
0003177602.tif 000004
【図３】
0003177602.tif 000005